(57)【要約】【課題】井戸の掘削施工と井戸水の汲み上げ作業を、重機を使わずに、容易且つ迅速に行うことができ、また、地下水層の深さや、その水量の如何に拘わらず、効率良く地下水層の水を汲み上げることができる、井戸の掘削・井戸水の汲み上げ方法と、井戸の掘削・井戸水の汲み上げ装置を提供する。【解決手段】本発明に係る井戸の掘削・井戸水の汲み上げ方法は、先端部にノズルを有すると共に、先端部側の周壁に複数の取水孔を有する外管内に、内管の先端部を外管のノズルに宛がうように固定する組立工程と、内管の基端部側に掘削用水圧ポンプを接続し、内管に水を送り込んで外管のノズルから水を噴出させながら外管を地中において進行させる掘削工程と、外管の先端部側が地下水層に到達した後、外管から内管を取り外し、外管の基端部側に吸水ポンプを接続し、外管を介して水を汲み上げる水の汲み上げ工程と、から成る。【選択図】図５
2011032715.tif 000002
【特許請求の範囲】
【請求項１】
先端部にノズルを有すると共に、先端部側の周壁に複数の取水孔を有する外管内に、内管の先端部を外管のノズルに宛がうように固定する組立工程と、
内管の基端部側に掘削用水圧ポンプを接続し、内管に水を送り込んで外管のノズルから水を噴出させながら外管を地中において進行させる掘削工程と、
外管の先端部側が地下水層に到達した後、外管から内管を取り外し、外管の基端部側に吸水ポンプを接続し、外管を介して水を汲み上げる水の汲み上げ工程と、から成ることを特徴とする井戸の掘削・井戸水の汲み上げ方法。
【請求項２】
水の汲み上げ工程は、吸水ポンプにより外管内を真空状態にして水を吸い上げる請求項１に記載の井戸の掘削・井戸水の汲み上げ方法。
【請求項３】
先端部にノズルを有すると共に、先端部側の周壁に複数の取水孔を有する外管と、先端部を外管のノズルに宛がうように固定する内管から構成され、内管の基端部側には掘削用水圧ポンプを接続可能であり、内管を取り外した外管の基端部側には吸水ポンプを接続可能であることを特徴とする井戸の掘削・井戸水の汲み上げ装置。
【請求項４】
外管のノズルには、内周面に雌ネジ部を設ける一方、内管の先端部の外周面に雄ネジ部を設け、内管の雄ネジ部を外管のノズルの雌ネジ部に螺合させて、外管内に内管を固定する請求項３に記載の井戸の掘削・井戸水の汲み上げ装置。
【請求項５】
外管は、複数の取水孔を有する先端部側に、砂止め用の不織ネットを備えている請求項３または４に記載の井戸の掘削・井戸水の汲み上げ装置。
【請求項６】
外管と内管の径の比率は、およそ２：１である請求項３乃至５のいずれかに記載の井戸の掘削・井戸水の汲み上げ装置。
【請求項７】
外管における取水孔を有する部分の長さは、およそ５０ｃｍ〜１ｍである請求項３乃至６のいずれかに記載の井戸の掘削・井戸水の汲み上げ装置。
【発明の詳細な説明】
【技術分野】
【０００１】
本発明は、比較的に小口径である深い井戸を容易に設けることができる、井戸の掘削・井戸水の汲み上げ方法と、井戸の掘削・井戸水の汲み上げ装置に関するものである。
【背景技術】
【０００２】
従来における井戸の掘削・井戸水の汲み上げ方法は、先ず、図８（ａ）に示すように、掘削用パイプ１００の基端部に掘削用水圧ポンプ１０１を接続し、掘削用パイプ１００の先端部に設けている噴出ノズル１００ａから高圧水を勢い良く噴出させ、掘削穴Ｈを造りながら掘削用パイプ１００を地中において進行させて、掘削用パイプ１００の先端部側が地下水層Ｗに到達するまで掘削を行っていた。
【０００３】
そして、掘削用パイプ１００が、地下水層Ｗに到達したか否かの判断は、掘削用パイプ１００の外周面と掘削穴Ｈとの間の隙間を通って地上に溢れ出る、汚泥水の状態を観察して行っていた。この汚泥水は、掘削用パイプ１００から噴出した水と、土や砂等が混じったものである。
【０００４】
この汚泥水の状態から、掘削用パイプ１００の先端部側が地下水層Ｗに到達したと判断した時には、掘削用パイプ１００を掘削穴Ｈから抜き出し、図８（ｂ）に示すように、外パイプ１０２を掘削穴Ｈに挿入する。外パイプ１０２は、先端部側の周壁に複数の取水孔１０２ａを有している。この外パイプ１０２の取水孔１０２ａが地下水層Ｗに入り込むようにして、掘削穴Ｈに外パイプ１０２を配置するのである。
【０００５】
次に、図８（ｃ）に示すように、外パイプ１０２内に吸水用パイプ１０３を配置し、吸水用パイプ１０３の基端部に吸水ポンプ１０４を接続する。
【０００６】
最後に、図９に示すように、吸水ポンプ１０４を作動させ、吸水用パイプ１０３を介して、地下水層Ｗの水を汲み上げるのである。
【０００７】
この他、従来における井戸の他の掘削方法としては、例えば、特許文献１に開示されているように、ロータリーパーカッションドリルを用いて施工する手法がある。このロータリーパーカッションドリルは、装置本体に起倒自在に設けられているガイドセルと、このガイドセルに上下動自在に設けられているドリルヘッドと、ドリルヘッドに取り付けられている二重管等で構成されている。
【０００８】
この二重管は、内管と外管で構成され、その最先端には、それぞれビットが設けられている。二重管は、ドリルヘッドに取り付けられ、このドリルヘッドにより二重管は打撃、回転及び給進することとなり、短管を順次継ぎ足しながら、地下水層Ｗまで掘削するようになっている。この場合、内管又は内外管の隙間の何れかに切削水を供給して、循環させながら掘削している。
【０００９】
次に、内管を抜管し、外管のみを残すようにして保護管を外管内に所定の深さまで挿入する。保護管の下端側には、外周面に複数の開口であるスリットが穿設され、その外周には、円筒形の保護管用フィルターが取り付けられている。
【００１０】
次に、外管を抜管し、保護管の外周に沿って上部からシールリングを孔内上部の所定の深さまで挿入して、孔内壁と保護管外周との間をシールする。そして、セメントモルタル等の固化材がシールリング上に地表まで充填され、保護管上端が地盤と固定される。
【００１１】
最後に、下端にストレーナを有する揚水パイプが所定の深さ（井戸水面以下）に挿入され、その上端が地上の井戸ポンプに接続される。
【先行技術文献】
【特許文献】
【００１２】
【特許文献１】特開平９−２９１７７９号公報
【発明の概要】
【発明が解決しようとする課題】
【００１３】
しかしながら、図８に示す従来における井戸の掘削・井戸水の汲み上げ方法においては、掘削用パイプ１００により掘削する工程と、掘削穴Ｈから掘削用パイプ１００を抜き出す工程と、掘削穴Ｈに外パイプ１０２を挿入する工程と、外パイプ１０２内に吸水用パイプ１０３を配置して井戸水を汲み上げる工程のそれぞれが個別に行われ、多工程となることから、一連の作業が非常に面倒であり、全体の作業時間も長くなっていた。
【００１４】
また、掘削施工時に、掘削用パイプ１００の外周面と掘削穴Ｈとの間の隙間を介して、掘削用パイプ１００から噴出した水と、土や砂等が混じった汚泥水を地上に溢れ出させていることから、例えば、地中の１００ｍ以上もの深さまで掘削する場合には、掘削穴Ｈが溢水による浸食で崩れ易くなる。
【００１５】
この掘削穴Ｈが崩れ易い状態で掘削用パイプ１００を抜き出し、掘削穴Ｈに外パイプ１０２を挿入する場合に、掘削穴Ｈが崩壊してしまう虞がある。
【００１６】
このため、掘削穴Ｈの深さは、せいぜい約４ｍから５ｍ程度が限界となり、掘削作業の効率が非常に悪くなっていた。
【００１７】
加えて、従来における井戸の掘削・井戸水の汲み上げ方法においては、掘削用パイプ１００の先端部側が地下水層Ｗまで到達したか否の判断を、掘削用パイプ１００の外周面と掘削穴Ｈとの間の隙間を介して地上に溢れ出る、汚泥水の状態を観察して行っていたことから、熟練した職人による感に頼らざるを得ず、掘削用パイプ１００が実際に地下水層Ｗまで到達しているかどうかを正確に理解することができなかった。
【００１８】
その為、井戸を設けたときに、充分な量の水を汲み上げることができない事態が頻繁に生じていた。
【００１９】
また、従来における井戸の掘削・井戸水の汲み上げ方法においては、図９に示すように、外パイプ１０２内に吸水用パイプ１０３を配置して地下水層Ｗの水を汲み上げるのであるが、外パイプ１０２内の所定の高さに達するまで地下水層Ｗの水が外パイプ１０２内に入り込んでいないと、現実的に吸水用パイプ１０３により地下水層Ｗの水を汲み上げることができなかった。
【００２０】
要するに、従来の方法において地下水層Ｗの水を汲み上げるためには、外パイプ１０２内に入り込んでいる、地下水層Ｗの水の水位Ｓが高くなければならなかったのである。
【００２１】
一方、特許文献１に示す井戸の掘削方法の場合、重機に取り付けられたロータリーパーカッションドリルを使用して掘削施工が行われるので、掘削作業が非常に大掛かりなものとなり、多額の費用を要する問題点を有していた。
【００２２】
また、特許文献１に示す井戸の掘削方法の場合、長細い筒状の外管内に所定の深さまで保護管が挿入されることに加えて、保護管用フィルターは、保護管の下端側に突設された複数の開口であるスリットに外挿され、外径が外管の内径と略等しい不織布で形成された所定の厚さの円筒形の繊維が重ねられ、この不織布は内側では目が密で外側に向って次第に目が粗くなっている構成によることから、地下水層Ｗの水が少なくなると汲み上げ効率が悪くなり易いという問題点を有していた。
【００２３】
そこで、本発明は如上のような従来存した諸事情に鑑み創出されたもので、井戸の掘削施工と井戸水の汲み上げ作業を、重機を使わずに、容易且つ迅速に行うことができ、また、地下水層の深さや、その水量の如何に拘わらず、効率良く地下水層の水を汲み上げることができる、井戸の掘削・井戸水の汲み上げ方法と、井戸の掘削・井戸水の汲み上げ装置を提供することを目的とする。
【課題を解決するための手段】
【００２４】
本発明に係る井戸の掘削・井戸水の汲み上げ方法は、先端部にノズルを有すると共に、先端部側の周壁に複数の取水孔を有する外管内に、内管の先端部を外管のノズルに宛がうように固定する組立工程と、内管の基端部側に掘削用水圧ポンプを接続し、内管に水を送り込んで外管のノズルから水を噴出させながら外管を地中において進行させる掘削工程と、外管の先端部側が地下水層に到達した後、外管から内管を取り外し、外管の基端部側に吸水ポンプを接続し、外管を介して水を汲み上げる水の汲み上げ工程と、から成ることで、上述した課題を解決した。
【００２５】
また、水の汲み上げ工程は、吸水ポンプにより外管内を真空状態にして水を吸い上げることで、同じく上述した課題を解決した。
【００２６】
さらに、本発明に係る井戸の掘削・井戸水の汲み上げ装置は、先端部にノズルを有すると共に、先端部側の周壁に複数の取水孔を有する外管と、先端部を外管のノズルに宛がうように固定する内管から構成され、内管の基端部側には掘削用水圧ポンプを接続可能であり、内管を取り外した外管の基端部側には吸水ポンプを接続可能であることで、同じく上述した課題を解決した。
【００２７】
また、外管のノズルには、内周面に雌ネジ部を設ける一方、内管の先端部の外周面に雄ネジ部を設け、内管の雄ネジ部を外管のノズルの雌ネジ部に螺合させて、外管内に内管を固定することで、同じく上述した課題を解決した。
【００２８】
加えて、外管は、複数の取水孔を有する先端部側に、砂止め用の不織ネットを備えていることで、同じく上述した課題を解決した。
【００２９】
また、外管と内管の径の比率は、およそ２：１であることで、同じく上述した課題を解決した。
【００３０】
この他、外管における取水孔を有する部分の長さは、およそ５０ｃｍ〜１ｍであることで、同じく上述した課題を解決した。
【発明の効果】
【００３１】
本発明に係る井戸の掘削・井戸水の汲み上げ方法は、先端部にノズルを有すると共に、先端部側の周壁に複数の取水孔を有する外管内に、内管の先端部を外管のノズルに宛がうように固定する組立工程と、内管の基端部側に掘削用水圧ポンプを接続し、内管に水を送り込んで外管のノズルから水を噴出させながら外管を地中において進行させる掘削工程と、外管の先端部側が地下水層に到達した後、外管から内管を取り外し、外管の基端部側に吸水ポンプを接続し、外管を介して水を汲み上げる水の汲み上げ工程と、から成ることから、井戸の掘削施工と井戸水の汲み上げ作業を、重機を使わずに、容易且つ迅速に行うことができる。
【００３２】
また、本発明によれば、水を噴出させながら外管を地中において進行させ、外管の先端部側が地下水層に到達した時は、外管を掘削穴にそのまま残した状態でで、外管から内管を取り外して外管の基端部側に吸水ポンプを接続し、外管を介して地下水層の水を汲み上げることができる。
【００３３】
すなわち、外管は、井戸の掘削施工時と、井戸水の汲み上げ作業時のいずれにも活用されるのである。その為、従来における井戸の掘削・井戸水の汲み上げ方法のように、掘削用パイプを用いて掘削した後、掘削穴から掘削用パイプを抜き出してから、掘削穴に外パイプを再度挿入する等の工程を省略して、全体の作業時間を大幅に短縮することができる。
【００３４】
さらに、水の汲み上げ工程は、吸水ポンプにより外管内を真空状態にして水を吸い上げることから、地下水層の深さや、その水量の如何に拘わらず、充分な量の水を長期間に渡り効率良く汲み上げることができる。
【００３５】
具体的には、例えば、外管自体が比較的に長い場合であっても、外管の先端部側が地下水層に到達している限り、地下水層の水を確実に汲み上げることができる。
【００３６】
また、外管の先端部側が地下水層に到達していれば、吸水ポンプにより外管内を真空状態にして水を確実に吸い上げることができ、従来における井戸の掘削・井戸水の汲み上げ方法のように、通常の状態で外管内に入り込む水の水位等の影響を受けることが全くない。
【００３７】
一方、本発明に係る井戸の掘削・井戸水の汲み上げ装置は、先端部にノズルを有すると共に、先端部側の周壁に複数の取水孔を有する外管と、先端部を外管のノズルに宛がうように固定する内管から構成され、内管の基端部側には掘削用水圧ポンプを接続可能であり、内管を取り外した外管の基端部側には吸水ポンプを接続可能であることから、井戸の掘削施工と井戸水の汲み上げ作業を、重機を使わずに、容易且つ迅速に行うことができる。
【００３８】
また、このような井戸の掘削・井戸水の汲み上げ装置を比較的にシンプルに構成して、装置の製作費用を安くすることができる。
【００３９】
さらに、外管のノズルには、内周面に雌ネジ部を設ける一方、内管の先端部の外周面に雄ネジ部を設け、内管の雄ネジ部を外管のノズルの雌ネジ部に螺合させて、外管内に内管を固定することから、井戸の掘削施工の際には、外管内に内管を挿入して、簡単に固定することができる。
【００４０】
そして、内管の基端部側に掘削用水圧ポンプを接続し、内管に水を送り込んで外管のノズルから水を噴出させながら外管を地中において進行させることで、地下水層が存在する、例えば、１００ｍ以上の深さまで容易に掘削することができる。
【００４１】
このとき、ノズルから噴出した水の一部は、土や砂等が混じった汚泥水となり、外管の外周面と掘削穴との間の隙間を通って地上に溢れ出るが、外管を掘削穴にそのまま残した状態を維持することから、掘削穴が崩壊してしまう虞はない。
【００４２】
また、井戸水の汲み上げ作業の際には、外管内から内管を抜き出し、外管の基端部側に吸水ポンプを接続し、外管を介して水を汲み上げることで、地下水層の水を容易に汲み上げることができる。
【００４３】
しかも、外管は、井戸の掘削施工時と井戸水の汲み上げ作業時のいずれにも活用される為、従来における井戸の掘削・井戸水の汲み上げ方法のように、掘削用パイプを用いて掘削した後、掘削穴から掘削用パイプを抜き出し、掘削穴に外パイプを再度挿入する等の工程を省略して、全体の作業時間を大幅に短縮することができる。
【００４４】
また、外管は、複数の取水孔を有する先端部側に、砂止め用の不織ネットを備えていることから、外管内に砂が入り込んでしまう事態の発生を阻止しながら、外管内に地下水層の水を取り入れることができる。
【００４５】
この他、外管と内管の径の比率は、およそ２：１であり、井戸水の汲み上げ作業において、取り外される内管の径よりも外管自体の径が大きいことから、吸水ポンプを接続した外管による汲み上げ水量を増大させることができる。
【００４６】
加えて、外管内に内管を固定している井戸の掘削施工時には、外管の内周壁と内管の外周壁の間に所定の空間が存在することとなる。その為、外管の先端部側が地下水層に到達すると、外管の取水孔から外管内に水が急速に入り込み、外管の内周壁と内管の外周壁の間を通って上方に移動し、地上に溢れ出ることとなる。
【００４７】
その結果、外管の先端部側が地下水層に到達したことを、誰もが簡単に理解でき、その後の作業を円滑に行うことができる。
【００４８】
また、外管における取水孔を有する部分の長さは、およそ５０ｃｍ〜１ｍであることから、外管の先端部側が地下水層に到達した時には、これらの取水孔を介して、充分な量の水を外管内に取り入れて汲み上げることができる。
【図面の簡単な説明】
【００４９】
【図１】外管の構成を示す側面図である。
【図２】外管の取水孔部分の構成を示す斜視図である。
【図３】外管内に内管を挿入し、外管のノズル内に内管の先端を宛がって固定している状態を示す斜視図である。
【図４】井戸の掘削施工の状態を示す断面図である。
【図５】井戸の掘削施工において、外管の先端部側が地下水層に到達した状態を示す断面図である。
【図６】先端部側が地下水層に到達している外管内から、内管を抜き出した状態を示す断面図である。
【図７】先端部側が地下水層に到達している外管に吸水ポンプを接続して、地下水層の水を汲み上げている状態を示す断面図である。
【図８】従来における井戸の掘削・井戸水の汲み上げ方法を示すもので、（ａ）は掘削用パイプで井戸の掘削施工を行っている状態の断面図、（ｂ）は掘削穴から掘削用パイプを抜き出し、掘削穴に外パイプを挿入した状態の断面図、（ｃ）は外パイプ内に吸水用パイプを配置した状態の断面図である。
【図９】従来における井戸の掘削・井戸水の汲み上げ方法を示すもので、外パイプ内に吸水用パイプを配置し、吸水用パイプの基端部に吸水ポンプを接続して井戸水を汲み上げる状態を示す断面図である。
【発明を実施するための形態】
【００５０】
以下に、図面を参照して、本発明を実施するための形態を詳細に説明する。
【００５１】
本発明に係る井戸の掘削装置及び井戸水の汲み上げ装置は、図３・図４に示すように、外管１と、外管１内に配置される内管２により構成されている。
【００５２】
外管１は、図１・図２に示すように、先端部にノズル３を設けている。また、外管１は、先端部側の周壁に複数の取水孔４を設けている。
【００５３】
内管２は、図３に示すように、その先端部を外管１のノズル３に宛がうようにして、外管１内に着脱自在に固定されるものである。これらの外管１と内管２の径の比率は、およそ２：１に設定されている。
【００５４】
そして、図４・図５に示すように、内管２の基端部側に掘削用水圧ポンプ１１を接続することで、高圧水を内管２に送り込み、外管１の先端部に設けているノズル３から勢い良く水を噴出できるように形成されている。
【００５５】
また、図７に示すように、外管１の基端部側には、エルボー管９を介して吸水ポンプ１０を接続することで、外管１の先端部側に設けているノズル３と取水孔４から地下水層Ｗの水を吸い上げるように形成されている。このとき、内管２は、外管１内から取り外されている。
【００５６】
外管１は、長さが約８ｍ〜１０ｍ、内径が約３０ｍｍ程度の、鋼製またはポリエチレン製等の円筒材によって形成されている。この外管１の先端部には、図１・図２に示すように、円錐状に縮径したテーパ部５を介して、内径が約１５ｍｍ程度のノズル３が設けられている。このノズル３の内周面には、雌ネジ部６が設けられている。
【００５７】
尚、ノズル３の先端の開口縁部には、内側から雌ネジ部６にねじ込まれる内管２の先端部を係止するために、ストッパー部１２が設けられている。このストッパー部１２は、円錐状に縮径したテーパ状に形成されている。
【００５８】
また、外管１のテーパ部５の上方に位置している外管１の先端部側の周壁には、およそ５０ｃｍ〜１ｍの長さに渡って、直径約６ｍｍ程度の複数の取水孔４を設けている。さらに、この取水孔４を覆うようにして、外管１の先端部側の周壁には、砂止め用の不織ネット８が巻装されている。この砂止め用の不織ネット８は、例えば、銅線等を用いて外管１に固定されている。
【００５９】
一方、内管２は、長さが外管１と略同じである約８ｍ〜１０ｍ、内径が外管１のおよそ半分の約１５ｍｍ程度の鋼製またはポリエチレン製等の円筒材によって形成され、その先端部の外周面には、図３に示すように、雄ネジ部７を設けている。
【００６０】
井戸の掘削施工時には、図３に示すように、外管１内に内管２を挿入し、内管２の先端部に設けている雄ネジ部７を、外管１の先端部に設けているノズル３の雌ネジ部６に内側から捩じ込んで、外管１内に内管２を固定する。
【００６１】
そして、図４に示すように、内管２の基端部側に掘削用水圧ポンプ１１を接続し、内管２に高圧水を送り込んで、外管１の先端部に設けているノズル３から勢い良く水を噴出させて、地中の掘削を行うようにしている。
【００６２】
一方、井戸水の汲み上げ作業時には、図６に示すように、外管１の先端部に設けているノズル３の雌ネジ部６から、内管２の先端部に設けている雄ネジ部７を外して、外管１内から内管２を取り外す。
【００６３】
その後、図７に示すように、外管１の基端部側にエルボー管９を介して吸水ポンプ１０を接続し、この吸水ポンプ１０により外管１内を真空状態にすることで、外管１の先端部側に設けているノズル３と取水孔４から地下水層Ｗの水を吸い上げるようにしている。
【００６４】
以下に、井戸の掘削装置及び井戸水の汲み上げ装置を用いた、井戸の掘削方法及び井戸水の汲み上げ方法を詳述する。
【００６５】
（先端部にノズルを有すると共に、先端部周壁に複数の取水孔を有する外管内に、内管の先端部を外管のノズルに宛がうように固定する組立工程）
【００６６】
先ず、図３に示すように、外管１内に内管２を挿入し、この内管２の先端部に設けている雄ネジ部７を、外管１の先端部に設けているノズル３の雌ネジ部６に内側から捩じ込んで、外管１内に内管２を固定する。
【００６７】
（内管の基端部側に掘削用水圧ポンプを接続し、内管に水を送り込んで外管のノズルから水を噴出させながら外管を地中において進行させる掘削工程）
【００６８】
次に、図４に示すように、内管２の基端部側に掘削用水圧ポンプ１１を接続し、内管２に高圧水を送り込んで外管１のノズル３からを勢い良く水を噴出させ、掘削穴Ｈを造りながら外管１を地中において進行させる。
【００６９】
このとき、外管１のノズル３から勢い良く噴出した水の一部は、土や砂等が混じった汚泥水となり、外管１の外周面と掘削穴Ｈとの間の隙間を通って地上に溢れ出る。
【００７０】
尚、地中を深く掘削する場合には、複数の外管１・内管２を長手方向に適宜接続して、その掘削を行う。
【００７１】
（外管の先端部側が水層に到達した後、外管から内管を取り外し、外管の基端部側に吸水ポンプを接続し、外管を介して水を汲み上げる水の汲み上げ工程）
【００７２】
外管１の先端部側が地下水層Ｗまで到達すると、図５に示すように、外管１の取水孔４から外管１内に地下水層Ｗの水が急速に入り込み、外管１の内周壁と内管２の外周壁の間を通って水が勢いよく上方に移動して、地上に溢れ出ることとなる。
【００７３】
その結果、外管１の先端部側が地下水層Ｗまで到達したことを、誰もが簡単に理解することができる。
【００７４】
外管１の先端部側が地下水層Ｗに到達したときには、図６に示すように、外管１の先端部に設けているノズル３の雌ネジ部６から、内管２の先端部に設けている雄ネジ部７を外して、外管１内から内管２を抜き出す。
【００７５】
そして、図７に示すように、外管１の基端部側にエルボー管９を介して吸水ポンプ１０を接続し、外管１の先端部側に設けているノズル３と取水孔４から地下水層Ｗの水を吸い上げる。
【００７６】
このとき、吸水ポンプ１０により、外管１内を真空状態にして地下水層Ｗの水を吸い上げるのである。
【００７７】
尚、本発明は、上記した実施の形態に限定されるものではなく、本発明の目的を達成できる範囲での改良・変形等は、本発明に全て包含されるものである。
【産業上の利用可能性】
【００７８】
本発明は、比較的に小口径である深い井戸を設けるために使用する他に、例えば、熱交換用の井戸を設けたり、また、地盤のトンネル工事における水抜き工事を行う場合等のように、幅広く利用することができる。
【符号の説明】
【００７９】
Ｈ…掘削穴
Ｗ…地下水層
Ｓ…水位
１…外管
２…内管
３…ノズル
４…取水孔
５…テーパ部
６…雌ネジ部
７…雄ネジ部
８…砂止め用の不織ネット
９…エルボー管
１０…吸水ポンプ
１１…掘削用水圧ポンプ
１２…ストッパー部
１００…掘削用パイプ
１００ａ…噴出ノズル
１０１…掘削用水圧ポンプ
１０２…外パイプ
１０２ａ…取水孔
１０３…吸水用パイプ
１０４…吸水ポンプ
【図１】
2011032715.tif 000003
【図２】
2011032715.tif 000004
【図３】
2011032715.tif 000005
【図４】
2011032715.tif 000006
【図５】
2011032715.tif 000007
【図６】
2011032715.tif 000008
【図７】
2011032715.tif 000009
【図８】
2011032715.tif 000010
【図９】
2011032715.tif 000011